(57)【要約】      （修正有）【課題】各種用途の配光の必要性を、浪費光を最小限に抑えながら効率良く満たせるように、光源（ＬＥＤを含む）から発せられる光を分配するリフレクタシステムを提供する。【解決手段】照明装置において、リフレクタモジュールは、１つ又はそれ以上の光源と関係付けたときに光源に隣接して設置される１つ又はそれ以上のリフレクタを備えており、隣接する光源からの光を反射するように構成される。光源を貫通突出させることができる複数の光源用開口を画定しているカバープレートを更に備えていてもよく、開口はリフレクタに隣接して配置され、横リフレクタに隣接して配置されていてもよい。リフレクタアセンブリは、任意の数のリフレクタモジュールを備えることができ、リフレクタモジュールを異なる構成に配設すれば、同じリフレクタモジュールで異なる配光を作り出すことができる。【選択図】図２
2011103288.tif 000002
【特許請求の範囲】
【請求項１】
照明装置用のリフレクタアッセンブリにおいて、
１つ又はそれ以上の光源と関係付けられるように構成されている２つ又はそれ以上のリフレクタモジュールを備え、
リフレクタモジュールはそれぞれ、前記リフレクタモジュールを前記１つ又はそれ以上の光源と関係付けたときに光源に隣接して設置される１つ又はそれ以上のリフレクタを備えており、前記１つ又はそれ以上のリフレクタは、前記隣接する光源からの光を反射するように構成されている、リフレクタアッセンブリ。
【請求項２】
光源を貫通突出させることができる複数の光源用開口を画定しているカバープレートを更に備えている、請求項１に記載のリフレクタアッセンブリ。
【請求項３】
前記リフレクタモジュールのそれぞれは、光源を貫通突出させることができる複数の光源用開口を画定しているカバープレートを更に備えており、前記１つ又はそれ以上の光源用開口の少なくとも第１の開口は上載リフレクタに隣接して配置され、前記１つ又はそれ以上の光源用開口の少なくとも第２の開口は横リフレクタに隣接して配置されている、請求項１に記載のリフレクタアッセンブリ。
【請求項４】
前記リフレクタモジュールのそれぞれは、光源を貫通突出させることができる複数の光源用開口を画定しているカバープレートを更に備えており、複数の光源用開口は、一列に整列していて、前記光源用開口の列に平行に向きが定められている横リフレクタに隣接して設置されている、請求項１に記載のリフレクタアッセンブリ。
【請求項５】
前記１つ又はそれ以上のリフレクタは、前記１つ又はそれ以上の光源用開口の１つと関係付けられている横リフレクタと上載リフレクタの両方を備えている、請求項１に記載のリフレクタアッセンブリ。
【請求項６】
前記少なくとも１つのリフレクタは、前記隣接する光源に面する反射面を有しており、それぞれの反射面は、前記２つ又はそれ以上のリフレクタモジュールによって画定される面に対する垂線から約０°から約４５°の角度に向きが定められた面を画定している、請求項１に記載のリフレクタアッセンブリ。
【請求項７】
ピン−ホイール構成の４リフレクタモジュールを備えている、請求項１に記載のリフレクタアッセンブリ。
【請求項８】
前記２つ又はそれ以上のリフレクタモジュールのそれぞれは、前記１つ又はそれ以上の関係付けられている光源から同じ方向に光を進ませるように、向きが定められている、請求項１に記載のリフレクタアッセンブリ。
【請求項９】
前記２つ又はそれ以上のリフレクタモジュールのそれぞれは、前記１つ又はそれ以上の光源からの光を、前記リフレクタモジュールの＋Ｘ、＋Ｙ、−Ｙ、及び＋Ｚの方向に進ませるように向きが定められている、請求項１に記載のリフレクタアッセンブリ。
【請求項１０】
前記２つ又はそれ以上のリフレクタモジュールの少なくとも２つは、実質的に同一である、請求項１に記載のリフレクタアッセンブリ。
【請求項１１】
前記２つ又はそれ以上のリフレクタモジュールの少なくとも２つは、互いに異なった構成である、請求項１に記載のリフレクタアッセンブリ。
【請求項１２】
少なくとも１つの光源はＬＥＤである、請求項１に記載のリフレクタアッセンブリ。
【請求項１３】
照明装置であって、
１つ又はそれ以上の光源と、
前記１つ又はそれ以上の光源と関係付けられている２つ又はそれ以上のリフレクタモジュールを有するリフレクタアッセンブリと、を備え、
各リフレクタモジュールは、光源に隣接して設置されている１つ又はそれ以上のリフレクタを備えており、前記１つ又はそれ以上のリフレクタは前記隣接する光源からの光を反射するように構成されている、照明装置。
【請求項１４】
少なくとも１つのリフレクタモジュールは、複数の光源用開口を画定しているカバープレートと、それを貫通突出する関係付けられた光源と、を更に備えている、請求項１３に記載の照明装置。
【請求項１５】
前記リフレクタモジュールのそれぞれは、複数の光源用開口を画定しているカバープレートを更に備えており、前記１つ又はそれ以上の光源用開口の少なくとも第１の開口は上載リフレクタに隣接して配置され、前記１つ又はそれ以上の光源用開口の少なくとも第２の開口は横リフレクタに隣接して配置されている、請求項１３に記載の照明装置。
【請求項１６】
前記リフレクタモジュールのそれぞれは、関係付けられた光源を貫通突出させる複数の光源用開口を画定しているカバープレートを更に備えており、複数の前記光源は隣接する横リフレクタに平行に向きが定められて一列に整列している、請求項１３に記載の照明装置。
【請求項１７】
前記１つ又はそれ以上のリフレクタは、前記１つ又はそれ以上の光源の１つと関係付けられている横リフレクタと上載リフレクタの両方を備えている、請求項１３に記載の照明装置。
【請求項１８】
前記少なくとも１つのリフレクタは、前記隣接する光源に面する反射面を有しており、各反射面は、前記２つ又はそれ以上のリフレクタモジュールによって画定される面に対する垂線から約０°から約４５°の角度に向きが定められた面を画定している、請求項１３に記載の照明装置。
【請求項１９】
前記リフレクタアッセンブリは、ピン−ホイール構成の４つのリフレクタモジュールを備えている、請求項１３に記載の照明装置。
【請求項２０】
前記２つ又はそれ以上のリフレクタモジュールのそれぞれは、前記１つ又はそれ以上の関係付けられている光源から同じ方向に光を進ませるように、向きが定められている、請求項１３に記載の照明装置。
【請求項２１】
前記２つ又はそれ以上のリフレクタモジュールのそれぞれは、前記１つ又はそれ以上の光源からの光を、前記リフレクタモジュールの＋Ｘ、＋Ｙ、−Ｙ、及び＋Ｚの方向に進ませるように向きが定められている、請求項１３に記載の照明装置。
【請求項２２】
前記２つ又はそれ以上のリフレクタモジュールの少なくとも２つは、実質的に同一である、請求項１３に記載の照明装置。
【請求項２３】
前記２つ又はそれ以上のリフレクタモジュールの少なくとも２つは、互いに異なった構成である、請求項１３に記載の照明装置。
【請求項２４】
少なくとも１つの光源はＬＥＤである、請求項１３に記載の照明装置。
【発明の詳細な説明】
【技術分野】
【０００１】
本開示は、概括的には、照明器具に、より詳しくは、駐車場、駐車施設、道路などの区域を照らすための照明器具に、更に厳密には、１つ又はそれ以上の光源からの光を方向決めするための複数のモジュール式リフレクタを有するリフレクタアッセンブリに関する。本開示は、照明器具が複数の光源を採用している場合の利用が特に有用であると考えられ、前記光源は１つの実施例では１つ又はそれ以上の発光ダイオード（ＬＥＤ）を含んでいる。
【背景技術】
【０００２】
光は、制御されていないと、照らされるべき目標区域の周囲の区域を照らすことで浪費されてしまい、夜間環境や我々の遺産である暗い夜空の保全と保護を妨げる望まれない「夜間照明」の原因になってしまうこともあり得る。更に、光が制御されていないと、目標区域の照明要件を満たすためにより多くの光量の生成を余儀なくされ、目標区域に所望の光量を提供するためにより強大な電力設備とエネルギー消費が必要になる。
【０００３】
北米照明工学協会（「ＩＥＳＮＡ」）では、各種用途の各種配光パターンを定義している。例えば、ＩＥＳＮＡは、道路及び区域照明を提供する照明器具に対し道路照明器具分類タイプＩ−Ｖを定義している。ＩＥＳＮＡは、道路及び区域照明器具によって提供される配光パターン並びに他の用途に使用される配光パターンに対する他の非公式の分類も定義している。これら及び他の配光パターンは、照明器具の１つ又はそれ以上の光源から発せられる光を方向決めすることによって得ることができる。このことは、光源には関係なく当てはまる。
【０００４】
光源が１つ又はそれ以上のＬＥＤ（又は他の小型光源）である場合、発せられる光を、１つ又はそれ以上の光源と関係付けられている１つ又はそれ以上のリフレクタによって分配することは知られている。ＬＥＤからの光を分配するためのリフレクタシステムの一例は、２００８年７月２日出願の米国特許出願第１２／１６６，５３６号に開示されており、その全内容を参考文献としてここに援用する。
【０００５】
ＬＥＤ照明技術の進歩は、Osram Sylvania社による、ＬＥＤ光の相当部分を両側方へ天底から高角度α（約６０°）で放射する一体型光学器を有するＬＥＤの開発へとつながり、このＬＥＤは、レンズ付きGolden DRAGON（登録商標）ＬＥＤ（以下、「両側方高角度ＬＥＤ」）として市販されている。図１Ａは、両側方高角度ＬＥＤ２５２を表したものであり、ＬＥＤが発する最大光度の線２５５の方向と角度を、実質的に反対向きに指定されている±Ｚ軸に示している。Ｙ−Ｚ面内の各角度で発せられる光は、線２５５から図のイメージに垂直な横方向（±Ｘ軸）に向かうベクトルに沿って逸れてゆくにつれ次第に且つ顕著に光度レベルが下がってゆく。ＬＥＤ２５２の放射特徴が図１Ｂに示されている。これら及び他のＬＥＤ（又は他の光源）は、各種用途の配光の必要性を、浪費光を最小限に抑えながら効率良く満たせるように、光源（定義によりＬＥＤを含む）から発せられる光を分配するリフレクタシステムと共に照明装置の中に配設することができる。
【先行技術文献】
【特許文献】
【０００６】
【特許文献１】米国特許出願第１２／１６６，５３６号
【発明の概要】
【０００７】
本開示は、照明器具の１つ又はそれ以上の光源から発せられる光を効率良く分配するように構成されたリフレクタアッセンブリに関する。リフレクタアッセンブリは、それぞれが照明装置の光源の異なるセットと関係付けられている、複数のリフレクタモジュールで構成されている。リフレクタモジュールは、異なる配光が作り出されるように異なる構成に配設することができる。一例として、図２と図３に描かれている照明器具は、同じリフレクタモジュールを用いて、照明器具内のそれらの配列と向きにより、ＩＥＳＮＡ道路照明器具のタイプＩＩ又はタイプＶの何れかとして構成することができる。具体的には、図２と図３に描かれているリフレクタアッセンブリは、ＩＥＳＮＡタイプＶ配光に近似した配光パターンを提供するように構成されている。しかしながら、これらの同じリフレクタモジュールは、図７に描かれている構成に配設し直せば、ＩＥＳＮＡタイプＩＩ配光に近似した配光パターンを提供することができる。
【０００８】
１つの実施形態では、本開示は、照明装置のリフレクタアッセンブリにおいて、１つ又はそれ以上の光源と関係付けられるように構成されている２つ又はそれ以上のリフレクタモジュールを備え、それぞれのリフレクタモジュールは、リフレクタモジュールを１つ又はそれ以上の光源と関係付けたときに光源に隣接して設置される１つ又はそれ以上のリフレクタを備えており、１つ又はそれ以上のリフレクタは隣接する光源からの光を反射するように構成されている、リフレクタアッセンブリに関する。
【０００９】
もう１つの実施形態では、本開示は、１つ又はそれ以上の光源と、２つ又はそれ以上のリフレクタモジュールと、を備えた照明装置において、リフレクタモジュールは、１つ又はそれ以上の光源と関係付けられており、それぞれのリフレクタモジュールは、光源に隣接して設置されている１つ又はそれ以上のリフレクタを備え、１つ又はそれ以上のリフレクタは、隣接する光源からの光を反射するように構成されている、照明装置に関する。
【００１０】
本開示のリフレクタモジュールでは、同じ構成のリフレクタモジュールから、同リフレクタモジュールの１つ又はそれ以上のモジュールの向きを異ならせることによって、異なるリフレクタアッセンブリが製造できるようになる。本開示のリフレクタアッセンブリでは、更に、異なる構成のリフレクタモジュールを備えたリフレクタアッセンブリが製造できるようになる。本開示のリフレクタは、こうして、比較的少ない数のリフレクタモジュールの構成を用いて、多様なリフレクタアッセンブリ構成を提供している。開示されているリフレクタアッセンブリでは、その結果、製造する必要又は在庫として維持する必要のある異なる部品類の数が減り、在庫として維持する部品類のサイズが小さくなるため、在庫及び製造のコストが下がり、その一方で製造上の融通性は向上する。
【図面の簡単な説明】
【００１１】
【図１Ａ】本開示の使用が見込まれるタイプの屈折器を備えた先行技術による広角度ＬＥＤを表している。
【図１Ｂ】図１Ａの広角度ＬＥＤの放射特徴を表している。
【図２】本開示のリフレクタアッセンブリとリフレクタモジュールの１つの実施形態を備えている照明器具の斜視図である。
【図３】図２の照明器具の底面図である。
【図４Ａ】図２のリフレクタアッセンブリの斜視図である。
【図４Ｂ】図４Ａのリフレクタアッセンブリの底面図である。
【図４Ｃ】図４Ａのリフレクタアッセンブリの右側面立面図である。
【図４Ｄ】図４Ａのリフレクタアッセンブリの左側面立面図である。
【図４Ｅ】図４Ａのリフレクタアッセンブリの正面立面図である。
【図４Ｆ】図４Ａのリフレクタアッセンブリの背面立面図である。
【図５Ａ】図２のリフレクタアッセンブリのリフレクタモジュールの斜視図である。
【図５Ｂ】図５Ａのリフレクタモジュールの上面図である。
【図５Ｃ】図５Ａのリフレクタモジュールの底面図である。
【図５Ｄ】図５Ａのリフレクタモジュールの右側面立面図である。
【図５Ｅ】図５Ａのリフレクタモジュールの左側面立面図である。
【図５Ｆ】図５Ａのリフレクタモジュールの正面立面図である。
【図５Ｇ】図５Ａのリフレクタモジュールの背面立面図である。
【図５Ｈ】図５Ｂの５Ｈ−５Ｈを通る断面図である。
【図５Ｉ】図５Ｂの５Ｉ−５Ｉを通る断面図である。
【図６】図５Ａのリフレクタモジュールの分解図である。
【図７】図５Ａから図５Ｇに描かれているリフレクタモジュール４つで構成されてはいるが、但し代わりの配列で構成されている代わりのリフレクタアッセンブリの底面図である。
【発明を実施するための形態】
【００１２】
図３は、ここにその全内容が参考文献として援用されている、２００８年９月２３日に出願された係属中の米国特許出願第１２／２３６，２４３号に開示されているタイプのハウジング１２を備えている照明装置１０を描いている。照明装置１０は、複数の光源１６を有する基部１４を有している。光源１６は、ＬＥＤとして描かれているが、何れの他の光源であってもよく、「光源」という用語がここで使用されている場合、それは総称的に、これまでに知られている又はこれ以後に作り出される何れの他の光源をも指す。照明装置１０は、リフレクタモジュール２０で構成されているリフレクタアッセンブリ１８を有している。照明装置１０のリフレクタアッセンブリ１８は、４つのリフレクタモジュール２０を有しているものとして描かれている。しかしながら、リフレクタアッセンブリは、何れの数のリフレクタモジュールで構成することもできる。十分な数及び／又はサイズのリフレクタモジュールを一体につなぎ合わせることによって、どのようなサイズのリフレクタアッセンブリでも作製することができると考えられる。同様に、リフレクタアッセンブリ１８は、それぞれが他と同一に構成されているリフレクタモジュール２０を備えているものとして描かれているという事実にかかわらず、サイズ要件、配光要件、又は他の要件を満たすために、２つ又はそれ以上の異なるサイズ及び／又は構成のリフレクタモジュールで構成することができる。
【００１３】
図に描かれている（図５Ａ−図５Ｇに最も分かり易く描かれている）リフレクタモジュール２０は、リフレクタモジュール２０を基部１４に載せる際に光源１６を中に置く複数の光源用開口２４を備えたカバープレート２２を有している。リフレクタモジュール２０は、更に、リフレクタモジュール２０を照明アッセンブリに固定できるようにするための１つ又はそれ以上の固定用開口２６を備えており、固定用開口２６を貫通突出しているスクリュー又はボルト（図示せず）と同スクリュー又はボルトに装着させたナット２８などでリフレクタモジュール２０が所定位置に保定されるようになっている。描かれているリフレクタモジュール２０の光源用開口２４は、５列から成るマトリクスに配列されており、それらのうち３列には光源用開口２４が４つあり、それらのうち１列には光源用開口２４が３つあり、それらのうち１つには光源用開口２４が２つある。この配列は、固定用開口２６用のスペースを残すために、或いは、所望の光束強度又は配光を実現するのにそれ以上のＬＥＤは不要であるという理由から、幾つかのＬＥＤが取り除かれている、描かれている実施形態のＬＥＤの散開配列に対応している。光束強度、配光、又は他の必要性のような、照明アッセンブリ１０の必要性を実現するのに、光源用開口のどのような配列と数も検討される。
【００１４】
描かれている実施形態のリフレクタモジュール２０は、カバープレート２２から突出して、カバープレート２２の長さに沿って横方向に伸びている横リフレクタ３０を備えている。１つの実施形態では、リフレクタモジュール２０は、シートメタルを成形して構成されており、横リフレクタ３０は、ここにその全内容が参考文献として援用されている係属中の米国特許出願第１２／１６６，５３６号に記載されているようにカバープレート２２と同じシートで形成されている。横リフレクタ３０は、追求されている配光に必要な所望の反射面を作り出すのに、どのような形態のものであってもよい。描かれているリフレクタモジュール２０では、横リフレクタ３０は、第１側面３２と第２側面３４を備え、それぞれの側面３２、３４は実質的に直線状であり、結合箇所に角度を成している。描かれている実施形態では、第１側面３２は、カバープレート２２と角度θ１を成し、第２側面３４はカバープレート２２と角度θ２を成している。描かれている実施形態では、θ１は１３５°であり、θ２は１００°である。所望の配光又はそれ以外のものを作り出すのに、他の角度、湾曲状の側面３２、３４、及び／又は追加の面特徴は全て適宜検討される。
【００１５】
描かれている実施形態のリフレクタモジュール２０は、更に、それぞれ光源用開口２４の列の上に配置されている上載リフレクタ３６を備えている。描かれているリフレクタモジュール２０は、光源用開口２４のそのような列全部ではなく一列おきに列の上に配置された上載リフレクタ３６を有している。上載リフレクタ３６は、それより少なくてもよいし多くてもよいと考えられる。例えば、上載リフレクタは、光源用開口２４の列それぞれの上に設置することもできるし、例えば３列おきに設置することもできるし、或いは個々の光源の上に設置することもできる。ここにその全内容が参考文献として援用されている継続中の米国特許出願第１２／１６６，５３６号に開示されているように、上載リフレクタ３６（継続中の米国特許出願第１２／１６６，５３６号では「方向部材」と称され、符号１２２が付けられている）は、同部材に直に隣接する光源１６から出た光の一部を横方向に進ませる。具体的には、光源１６から実質的に＋Ｚ方向に出てゆく光は、上載リフレクタ３６によって横方向に反射される。描かれている上載リフレクタ３０は、Ｖの字の第１側面３８と第２側面４０が頂点を形成する略Ｖ字形状に構成されており、その外側は、光源用開口２４と関係付けられている光源１６からの光の一部を横方向に反射するために、描かれているように光源用開口２４の上に設置されている。上載リフレクタの第１側面３８と第２側面４０は互いに角度θ３を成し、これは描かれている実施形態では８４°である。所望の配光又はそれ以外のものを作り出すのに、他の角度、湾曲状の側面３８、４０、及び／又は追加の面特徴は全て適宜検討される。上載リフレクタ３６は、追求されている配光に必要な所望の反射面を作り出すのに、どのような形態のものであってもよい。
【００１６】
１つの実施形態では、リフレクタモジュール２０は、その要素の全てを含め、アルミニウムシートで作られている。リフレクタモジュール２０は、その形状を維持できるだけの剛性を有する平面状のシートから作られていてもよい。代表的な平面状シート材料は、厚さが５−２５０ミル（約０．１−６ｍｍ）である。カバープレート２２と横リフレクタ３０の外面６２は反射性の面であり、１つの実施形態では、仕上げ加工後の面６２は、反射率が少なくとも８６％であり、より典型的には少なくとも９５％である。１つの実施例では、リフレクタモジュール２０は、ドイツ、エナペタルのAlanod GMBHによって製造されている、外面６２にＭＩＲＯ４仕上げが施されたアルミニウムのシートで形成されている。上載リフレクタ３６は、同様に、光源１６と向かい合う第１側面３８と第２側面４０の表面が、上で説明されているように仕上げが施された面を備えるように製造されていてもよい。仕上げが施された面は、代わりに、鏡面仕上げを備えることもできる。表面仕上げは、光源１６によって生成される光束の反射と所望の目標区域への送達を最大化する。
【００１７】
本開示は、横リフレクタ３０と上載リフレクタ３６の両方を有する例示的な実施形態のリフレクタモジュール２０を提供している。とはいえ、リフレクタモジュールは、リフレクタのこれら２つの型式のうち一方しか持たないものも考えられ、「リフレクタ」という用語が単独で（例えば、「アッセンブリ」、「横」、又は「リフレクタ」を付けずに）使用されている場合、それは、総称的に、横リフレクタ３０又は上載リフレクタ３６又は他の型式のリフレクタの何れかを指すものとする。同用語が複数形で（即ち、「複数のリフレクタ」として）使用されている場合は、同様に、上載リフレクタ又は横リフレクタ又は他の型式のリフレクタの組合せを指す。
【００１８】
描かれているリフレクタモジュール２０の実施形態は、更に、第１横壁４２と第２横壁４４、並びに第１端壁４６と第２端壁４８を備えている。第１横壁４２と第２横壁４４は、カバープレート２２から角度θ４で上向きに伸びている。描かれている実施形態では、θ４は１００°であるが、所望の配光を実現するのに望ましい何れの角度とすることもでき、２つの角度θ４は異なっていてもよい。第１端壁４６は、カバープレート２２と角度θ５を成し、角度は所望の配光に応じて変えてもよい。描かれている実施形態では、θ５は、横リフレクタ３０の第２側面３４と同じ反射角度を提供するために１３５°である。同様に、第２端壁４８は、カバープレート２２と角度θ６を成し、同角度は描かれている実施形態では横リフレクタ３０の第１側面３２との間で角度を一致させるために１００°である。所望の配光を実現するのに、必要に応じ他の角度θ１−θ６を使用してもよい。
【００１９】
リフレクタモジュール２０は、更に、描かれている実施形態では、第１端壁４６から伸びている端周辺フランジ５０と、第２横壁４４から伸びている横周辺フランジ５２を備えている。フランジ５０、５２は、そうでなければ照明装置１０を見る人に見えてしまう基部１４の周辺部を覆うように伸びている。リフレクタアッセンブリ１８が、描かれているリフレクタモジュール２０を４つ、描かれているピン−ホイール構成に配設して構成されている場合、端周辺フランジ５０と横周辺フランジ５２は、リフレクタアッセンブリ１８の全周を覆っている。リフレクタモジュール２０の配列に基づき望ましい場合には、他のフランジ及びフランジ式配設が検討される。
【００２０】
リフレクタモジュール２０の各種要素は、一体に形成することもできるし、別々に形成することもできる。描かれている実施形態では、カバープレート２２、横リフレクタ３０、第１端壁４６と第２端壁４８、及び端周辺フランジは、当業者には自明であろう工程によって単一シートから一体的に形成されている。上載リフレクタ３６は、別途形成し、横リフレクタ３０及び描かれている実施形態では第１端壁４６と第２端壁４８とによって画定されているノッチ６０の中に上載リフレクタ３６を載せることによってリフレクタモジュール２０に取り付けられており、上載リフレクタ３６が横リフレクタ３０の上面と大凡面一の状態でそれぞれの相手のノッチ６０に納まるようになっている。描かれている実施形態では、横リフレクタ３０のうち１つ又はそれ以上は、上載リフレクタをノッチ６０に設置したときにタブ５４がスロット５６内に差し込まれた状態になるように、上載リフレクタ３０によって画定されている対応するスロット５６に差し込まれるべく配置されているタブ５４を有している。タブ５４は、上載リフレクタ３６をリフレクタモジュールに固定するために、上載リフレクタ３６の第１側面３８又は第２側面４０の何れかに沿って曲げられる。描かれている実施形態では、第１横壁４２と第２横壁４４も、タブとスロットのシステムによってリフレクタモジュール２０に固定されている。具体的には、端タブ６４は、描かれているように、第１端壁４６と第２端壁４８から伸びて、第１横壁４２と第２横壁４４の対応する端スロット６６に差し込まれると、第１横壁４２と第２横壁４４に沿って曲げられ、それら横壁がリフレクタモジュール２０に固定される。上載リフレクタ３６及び第１横壁４２と第２横壁４４のリフレクタモジュール２０への固定については他のやり方も考えられる。
【００２１】
図５Ａ−図５Ｉについて、描かれている実施形態では、光源用開口２４の中心は、ＸとＹの両方向に１．１２５インチのピッチＰで間隔を空けて配置され、リフレクタモジュールは０．４７８インチの高さＨを有し、光源用開口２４に隣接する、横リフレクタ３０の第１側面３２と第２側面３４の下端の間の幅Ｗは０．５３７である。
【００２２】
リフレクタモジュール２０は、更に、複数のリフレクタモジュール２０をリフレクタアッセンブリ１８のようなリフレクタアッセンブリ又は異なる構成のリフレクタアッセンブリに組み立てられるように、隣接するリフレクタモジュール２０又は同一か同様か異なる構成物に接続するために周辺部から伸びているアッセンブリタブ５８又は他の構造を備えていてもよい。
【００２３】
図２、図３、及び図４Ａ−図４Ｆは、図５Ａ−図５Ｉ及び図６に描かれている構成のリフレクタモジュール２０、４つで組み立てられたリフレクタアッセンブリ１８構成を描いている。リフレクタアッセンブリ１８を構成しているものとして描かれているリフレクタモジュール２０は、それぞれが、光源１６からの光を、各リフレクタモジュール２０の＋Ｙ、−Ｙ、及び＋Ｘ方向に進めるように構成されている。当業者には理解頂けるであろう。その際、それぞれのリフレクタモジュール２０は、ＩＥＳＮＡタイプＩＩ配光に近似する配光パターンを提供する。リフレクタモジュール２０は、リフレクタアッセンブリ１８の中に、図３に描かれているように、４つの描かれているリフレクタモジュール２０の＋Ｘ方向が、各々、関係付けられている照明装置１０の＋Ｘ、＋Ｙ、−Ｘ、及び−Ｙ方向になるようにピン−ホイール構成に分散されているものとして描かれている。このピン−ホイール構成であれば、ＩＥＳＮＡタイプＶ配光に近似する配光パターンを提供する。図２、図３、及び図４Ａ−図４Ｆに描かれているリフレクタアッセンブリ１８の同じ４つのリフレクタモジュール２０を異なる構成に分散して構成されている代わりのリフレクタアッセンブリが図７に示されている。より具体的には、リフレクタモジュール２０は全て、それらの（図５Ｂに定義されている）＋Ｘ方向が、リフレクタアッセンブリの（図７に定義されている）同じ−Ｙ方向を指すように向きが定められている。図７のリフレクタアッセンブリを構成しているものとして描かれているそれぞれのリフレクタモジュール２０は、ＩＥＳＮＡタイプＩＩ配光に近似する配光パターンを提供するので、それらをこの様式に組み立てると、配向パターンがＩＮＥＳＮＡタイプＩＩ配光に近似したものになる。但し、これは、１つの構成のリフレクタモジュール２０をどのように使用すれば異なる配光に近似させることができるかという１つの例である。同様に、リフレクタアッセンブリは、所望の配光を提供するのに、２つ又はそれ以上の異なる構成を有するリフレクタモジュールで構成することもできる。
【００２４】
本開示に記載されているリフレクタアッセンブリは、照明器具の１つ又はそれ以上の光源からの光を方向決めすることに関し、他の装置に勝る幾つかの利点をもたらす。１つの利点は、異なる在庫部品類が減ることである。特に、描かれているリフレクタアッセンブリは、ＩＥＳＮＡタイプＩＩとタイプＶの両タイプの配光に近似する光パターンを、同じリフレクタモジュールから提供する。ＩＥＳＮＡタイプＩＩとタイプＶの配光を提供するのに、これまでは２種類の異なる構成の部品類が必要であったが、１種類の部品類さえ在庫に維持すれば済むようになる。更には、異なる在庫部品類の数が少なくなることにより、同じように製造工程、機械、プロセスの数が減る。加えて、リフレクタアッセンブリを２つ又はそれ以上のリフレクタモジュールで構成することによって、それぞれのリフレクタモジュールのサイズは、同モジュールを構成部分として最終的に構成されるリフレクタアッセンブリよりも必然的に小さくなる。より小さいリフレクタモジュールとすることで、より小型の製造設備が使用できるようになり、在庫が占めるスペースがより少なくなるので、相応のコスト削減がもたらされる。本開示のリフレクタアッセンブリは、図２と図３に描かれている複数のＬＥＤのような複数の光源を有する照明装置と関連させて使用すれば、それらの光源の異なる光源から発せられた光を選択されたリフレクタモジュールに応じて異なる方向に進ませて異なる配光を作り出すことができるため、特に好都合である。
【００２５】
描かれている光源１６のようなＬＥＤを採用している場合、基部１４は、１つ又はそれ以上の照明基板、より典型的には印刷回路基板（「ＰＣＢ」）で構成されていてもよい。ＬＥＤの制御と電力供給を提供する回路を、同様にＰＢＣに搭載することもできるし、遠隔的に搭載することもできる。１つの適した実施形態では、ＬＥＤ１６は、それぞれが、窒化ガリウム（ＧａＮ）ベースの発光半導体素子を１つ又はそれ以上のリン光体を含有する被覆に結合させて構成されている、白色ＬＥＤである。ＧａＮベースの半導体素子は、青及び／又は紫外範囲の光を発し、リン光体被覆を励起して、より長い波長の光を作り出す。組み合わされた出力は白色光に近似する。例えば、青色光を発生させるＧａＮベースの半導体素子を黄色リン光体と組み合わせれば、白色光を作り出すことができる。代わりに、紫外光を発生させるＧａＮベースの半導体素子を、赤色、緑色、及び青色のリン光体と、白色光を作り出す比と配列で組み合わせることもできる。更にもう１つの適した実施形態では、赤色又は緑色の光を発するリン化物ベースの半導体素子のような有色ＬＥＤが使用されており、その場合、ＬＥＤは一団として対応する色の光を作り出す。更に別の適した実施形態では、所望により、ＬＥＤ照明基板は、赤緑青（ＲＧＢ）カラー合成配列を使用して、選択された色の光を作り出すために、ＰＣＢ上に選択されたパターンに分散させた赤色、緑色、及び青色のＬＥＤを含んでいる。この後者の例示的な実施形態では、ＬＥＤ照明基板は、選択された光強度の赤色、緑色、及び青色のＬＥＤを選択的に作動させることにより選択可能な色を発するように構成することができる。
【００２６】
光源１６の１つ又はそれ以上がＬＥＤを備えている場合、同光源は、発光ダイオード及び関係付けられている光学器から成るユニットであってもよいし、光学器無しに発光ダイオードから成るユニットであってもよい。関係付けられている光学器が存る場合、同光学器は、直接ダイオードに固着することもできるし、基板のダイオードの付近又はダイオードに接する位置に、別体の位置及び向き設定手段によって固着するか、或いは基板又はダイオードを活用せずに設置又は保定することもできる。ＬＥＤはどのような種類と容量のものでもよいが、或る好適な実施形態では、それぞれのＬＥＤは広角度配光パターンを提供している。本開示で使用される代表的なＬＥＤは、ここでは、Osram Sylvania社によって製造されているGolden DRAGON（登録商標）ＬＥＤ又は日亜083BＬＥＤのような両側方高角度ＬＥＤとして知られている広角度ＬＥＤである。これらの隣接するＬＥＤ照明アッセンブリ同士の間隔取りは、両側方高角度ＬＥＤの角度αによって変えてもよい。
【００２７】
本開示では、開示の好適な実施形態の詳細事項について言及しているが、当業者には、開示の精神及び付随の特許請求の範囲の各請求項の範囲内で、修正が容易に想起され得ると考えられることから、本開示は、限定を課す意味ではなくむしろ例示を目的としているものと理解されたい。
【図１Ａ】
2011103288.tif 000003
【図１Ｂ】
2011103288.tif 000004
【図２】
2011103288.tif 000005
【図３】
2011103288.tif 000006
【図４Ａ】
2011103288.tif 000007
【図４Ｂ】
2011103288.tif 000008
【図４Ｃ】
2011103288.tif 000009
【図４Ｄ】
2011103288.tif 000010
【図４Ｅ】
2011103288.tif 000011
【図４Ｆ】
2011103288.tif 000012
【図５Ａ】
2011103288.tif 000013
【図５Ｂ】
2011103288.tif 000014
【図５Ｃ】
2011103288.tif 000015
【図５Ｄ】
2011103288.tif 000016
【図５Ｅ】
2011103288.tif 000017
【図５Ｆ】
2011103288.tif 000018
【図５Ｇ】
2011103288.tif 000019
【図５Ｈ】
2011103288.tif 000020
【図５Ｉ】
2011103288.tif 000021
【図６】
2011103288.tif 000022
【図７】
2011103288.tif 000023
【外国語明細書】
2011103288000001.pdf